(57)【特許請求の範囲】
【請求項１】
感光材料（Ｐ）に露光処理を施す露光部（３）と、感光材料（Ｐ）に現像処理を施す現像処理部（４０）との間に、感光材料（Ｐ）をループ状に滞留させるループ部（２０）が設けられてなる写真処理装置において、前記ループ部（２０）に、感光材料（Ｐ）を収容するためのループタンク（２２）が設けられ、しかも、該ループタンク（２２）は、感光材料（Ｐ）の搬送方向を転換すべく、回動自在に構成されてなることを特徴とする写真処理装置。
【請求項２】
露光部（３）にて露光処理された感光材料（Ｐ）を、ループ部（２０）を介して現像処理部（４０）に搬送する感光材料の搬送方法において、前記ループ部（２０）内に設けられたループタンク（２２）に感光材料（Ｐ）を収容し、感光材料（Ｐ）の後端側が前記現像処理部（４０）に近づくように前記ループタンク（２２）を回転せしめた後、該感光材料（Ｐ）を先端側から現像処理部（４０）に搬送することを特徴とする感光材料の搬送方法。
【発明の詳細な説明】
【０００１】
【発明の属する技術分野】
本発明は、露光処理された感光材料を露光部から現像処理部に好適な方法にて搬送し得る写真処理装置及び感光材料の搬送方法に関するものである。
【０００２】
【従来の技術】
従来より、写真処理装置として種々のものが提案されているが、一般的な構成を具備する写真処理装置としては、例えば、特開平４−１２３０３２号公報所載なるものが公知である。
【０００３】
かかる公報所載の写真処理装置は、図９に示す如く、装置本体５０の上部に、感光材料Ｐ’をロール状に保管するマガジン５２が配され、該マガジン５２の下方には、露光部５３が配されている。この露光部５３では、マガジン５２から引き出された感光材料Ｐ’の乳剤面（図中三角印側の面）上に、光源部５４からの均一な光により、レンズユニット５５を介してフィルムキャリア５６にセットされた写真フィルムＦ’の画像を焼付ける（以下、露光処理という）ようになっている。
【０００４】
また、露光処理を終えた感光材料Ｐ’は、前記露光部５３からループ部５７を介して、現像処理部５８に搬送され、現像処理を終えた後、乾燥部５９に導かれる。そして、乾燥部５９で乾燥処理が施された感光材料Ｐ’は、しかる後、各コマ毎にカットされて装置本体５０から排出され、完成した写真となる。
【０００５】
尚、前記ループ部５７は、露光部５３と現像処理部５８との処理速度の相違を吸収するために設けられたもので、このループ部５７内にて、感光材料Ｐ’はループ状にされて一時的に滞留させられるのである。
【０００６】
【発明が解決しようとする課題】
しかしながら、従来の写真処理装置にあっては、マガジンから写真完成に至る感光材料の搬送方向が平面視にて直線的であるため、機械寸法を短く抑えるために、マガジンを装置本体の上方に配置せざるを得ず、そして、このマガジンが重量物であるため、マガジン交換作業の際、作業者に負担をかけるという問題があった。
【０００７】
また、かかる問題を解消すべく、マガジンを装置本体の下方向に配置すれば、機械寸法が長くなって、写真処理装置を設置する上で問題となる場合が生ずると共に、このマガジンが写真処理装置を操作するオペレータの邪魔になり、作業能率を低下させるおそれがあった。さらに、オペレータが写真処理装置を操作している時に、別人がマガジンの交換する場合、オペレータと交換作業者とが干渉して、円滑な交換作業が阻害されるおそれがあった。
【０００８】
さらに、現像処理部における発色液、定着液、安定液等の処理液を蓄えた処理液タンク内では、感光材料の乳剤面を外向きにして搬送する方が写真の仕上がりの観点から望ましいことは一般的に既知の事実であるが、従来の写真処理装置にあっては、現像処理部に至るまでの間に、感光材料を表裏反転させる機構が設けられることが多く、この機構が複雑であり且つ製造コストが悪化するという問題があった。従って、従来の反転機構によらず、簡素且つ安価な反転機構が要請されている。
【０００９】
そこで、本発明は上記の如き問題点に鑑みてなされたもので、感光材料を保管するマガジンの交換作業を簡単に行うことができ、しかも、機械寸法を小さくできる写真処理装置を提供することを課題とし、併せて、感光材料の搬送工程中における該感光材料の表裏反転を容易ならしめる感光材料の搬送方法を提供することを課題とするものである。
【００１０】
【課題を解決するための手段】
上記課題を解決するために、本発明に係る写真処理装置は、感光材料Ｐに露光処理を施す露光部３と、感光材料Ｐに現像処理を施す現像処理部４０との間に、感光材料Ｐをループ状に滞留させるループ部２０が設けられてなる写真処理装置において、前記ループ部２０に、感光材料Ｐを収容するためのループタンク２２が設けられ、しかも、該ループタンク２２は、感光材料Ｐの搬送方向を転換すべく、回動自在に構成されてなることを特徴とする。
【００１１】
上記構成からなる写真処理装置によれば、露光部３の処理速度に比して現像処理部４０の処理速度が遅いために、露光部３と現像処理部４０との間にループ部２０を設け、該ループ部２０内にて感光材料Ｐをループ状に滞留させるものである。
【００１２】
そこで、露光処理を終えた感光材料Ｐは、ループ部２０のループタンク２２内にループ状になって収容され、しかる後、該ループタンク２２が回動し、ループタンク２２内の感光材料Ｐの長手方向と、現像処理部４０の搬送方向とが一致した状態で、感光材料Ｐはループ部２０から現像処理部４０へと搬送されるのである。
【００１３】
従って、露光部３における感光材料Ｐの搬送方向と、現像処理部４０における感光材料Ｐの搬送方向は、必ずしも一致、即ち、露光部３、ループ部２０、現像処理部４０を直線的に配置する必要がなくなり、例えば、Ｌ字型に配置が可能となるものである。
【００１４】
また、本発明に係る感光材料の搬送方法は、露光部３にて露光処理された感光材料Ｐを、ループ部２０を介して現像処理部４０に搬送する感光材料の搬送方法において、前記ループ部２０内に設けられたループタンク２２に感光材料Ｐを収容し、感光材料Ｐの後端側が前記現像処理部４０に近づくように前記ループタンク２２を回転せしめた後、該感光材料Ｐを先端側から現像処理部４０に搬送することを特徴とする。
【００１５】
上記方法によれば、例えば、感光材料Ｐの乳剤面を上向きにしてループ部２０に搬送された結果、感光材料Ｐがループタンク２２内にて乳剤面を内向きにして収容された場合、感光材料Ｐの後端側が現像処理部４０に近づくようにループタンク２２を回転せしめ、感光材料Ｐを先端側から搬送することで、乳剤面が下向きとなって現像処理部４０へと搬送されることとなり、感光材料の表裏反転が行われるのである。
【００１６】
【発明の実施の形態】
以下、本発明に係る写真処理装置の一実施形態を説明する。
図１は、装置本体１内における、感光材料Ｐをロール状に保管するマガジン２、感光材料Ｐに露光処理を施す露光部３、感光材料Ｐに現像処理を施す現像処理部４０、そして、露光部２と現像処理部３０との間に配置されたループ部２０の配置状態を示す写真処理装置の概略構成図であり、露光部３からループ部２０への感光材料Ｐの搬送方向Ａと、ループ部２０から現像処理部４０への感光材料の搬送方向Ｂとが異なり、約９０度で交差するようなＬ字型配置となっている。
【００１７】
そして、本実施形態は、二つのマガジン２、２を装備した、いわゆる「ダブルマガジン方式」であり、このマガジン２、２は、一部を臨出させて装置本体１の側方に縦にして配置され、何れかのマガジン２から引き出された感光材料Ｐの写真処理を行うものである。
【００１８】
そして、マガジン２から引き出された長尺の感光材料Ｐは、次に、露光部３に搬送される。露光部３には、図２に示す如く、略方形に開口されたゲート４と、フィルムＦをコマ送りし且つ前記ゲート４にフィルムＦの各コマを位置決めするローラ対５とを備えたフィルムキャリア６が設けられている。
【００１９】
さらに、前記ゲート４のフィルムＦに対して垂直な一方向には、光源７が配置される一方、他方向には、レンズユニット８が配置され、しかも、ゲート４のフィルムＦの画像データを読込み可能なスキャナーユニット９が設けられており、該スキャナーユニット９の読込みデータから適切な露光条件が決定され、この露光条件に基づいてゲート４に位置決めされたフィルムＦの画像が、光源７からの光でレンズユニット８等を介して感光材料Ｐに焼付けられる。
【００２０】
また、感光材料Ｐの搬送経路上には、露光部３の前後位置に、それぞれアドバンスローラ１０が設けられており、フィルムＦの任意の１コマの露光処理が終了した時の、ローラ対５によるフィルムＦの１コマ送りに応じて、感光材料Ｐが１コマ分搬送されるように構成されている。
【００２１】
次に、前記露光部３にて複数コマの露光処理を施された感光材料Ｐは、図１に示す如く、連続した長尺のまま、下流のループ部２０に搬送される。このループ部２０は、露光処理が施された感光材料Ｐをこのループ部２０にてループ状に滞留させておくことで、露光部３に比して処理速度の遅い下流側の現像処理部４０に対処するものである。
【００２２】
前記ループ部２０には、感光材料Ｐを収容するためのループタンク２２と、露光部３からＡ方向に搬送される感光材料Ｐを約９０度進路を変更させて下方向に折り返し、前記ループタンク２２内に搬入するための第一折返しローラ２３と、前記ループタンク２２内の感光材料Ｐを約９０度進路変更させて横方向に折り返し、前記現像処理部４０の方向Ｂに搬出するための第二折返しローラ２４、第三折返しローラ２５とを備えたループ機構２１が設けられている。
【００２３】
前記ループタンク２２は、上方が開口され且つ水平面上を回動自在にして装置本体１に支持された平面視略方形状を有する箱状体であり、その開口のそれぞれ縁部に沿って前記第一折返しローラ２３、第二折返しローラ２４、第三折返しローラ２５がコの字状に配置されている。
【００２４】
そして、前記第一折返しローラ２３、第二折返しローラ２４、第三折返しローラ２５は装置本体１に支持されることで、回動するループタンク２２と、ローラ２３、２４、２５との相対位置変更が許容され、ループタンク２２が９０度毎に回動されても、ローラ２３、２４、２５は、常時、ループタンク２２の開口縁部に位置するものである。
【００２５】
また、前記ループタンク２２内には、図３又は図４に示す如く、前記アドバンスローラ１０と同期して駆動可能な送込みローラ２６と、該送込みローラ２６と所定間隔を有して下流側に配され且つ該送込みローラ２６とは独立に駆動する送出しローラ２７と、送込みローラ２６及び送出しローラ２７間を連絡可能に揺動する案内板２８とが設けられている。
【００２６】
前記送込みローラ２６、送出しローラ２７は、それぞれ一対のローラからなり、搬送経路を上下方向とすべく、水平に配置されており、且つ、ループタンク２１が何れの位置に回動しても、ローラ２３、２４、２５と搬送経路の方向が一致するように配置されている。
【００２７】
また、前記案内板２８は、感光材料Ｐを送込みローラ２６から送出しローラ２７に確実に受け渡すべく、送込みローラ２６及び送出しローラ２７のそれぞれの搬送経路に連続する形状に湾曲させられている。
【００２８】
さらに、前記送込みローラ１６の上流側と、前記送出しローラ２７の下流側とには、光の遮断、透過を利用して感光材料Ｐの先端の通過を検出可能なセンサー２９、３０が配されており、前記案内板２８は、センサー２９が感光材料Ｐの先端を検出すると、送込みローラ２６及び送出しローラ２７間を連絡する位置Ｘに揺動し、センサー３０が感光材料Ｐの先端を検出すると、送込みローラ２６及び送出しローラ２７間から退避する位置Ｙに揺動するように構成されている。
【００２９】
また、アドバンスローラ１０と第一折返しローラ２３との間には、感光材料Ｐの切断処理を行うカッター３１が設けられている。そして、このカッター３１は、フィルムＦ一本分の露光処理が終了して、アドバンスローラ１０、第一折返しローラ２３、及び、送込みローラ２６の駆動が停止した時に、切断処理するよう制御されている。さらに、切断処理が終わると、切断された感光材料Ｐの後端がセンサー２９に検出されるまで、第一折返しローラ２３、送込みローラ２６を駆動するようにも制御されている。
【００３０】
次に、前記ループ部２０にてループ状にされ、所定長さに切断された感光材料Ｐは、図１に示す如く、下流の現像処理部４０に搬送される。
この現像処理部４０には、発色処理タンク４１、定着処理タンク４２、安定処理タンク４３の各種の処理タンクが横並びに順次配置され、また、この一連の搬送を行うべく、複数の搬送ローラ４５が所定位置に配置されている。そこで、感光材料Ｐをこれらの処理タンク内の処理液に順次浸漬させながら搬送して、感光材料Ｐの現像処理を行うのである。
【００３１】
本実施形態に係る写真処理装置は、以上の構成からなり、以下、図５乃至図７を参酌しつつ、露光部３から現像処理部４０への感光材料の搬送方法について説明する。
まず、図５を参酌する。露光部３にてフィルムＦの各コマの露光処理が行われる間、順次露光処理されて長尺のままアドバンスローラ１０により搬送される感光材料Ｐは、第一折返しローラ２３、及び、その後の送込みローラ２６に渡され、センサー２９の検出により水平位置（位置Ｘ）に揺動した案内板２８の上に沿って送出しローラ２７に渡される。そして、感光材料Ｐの先端がセンサー３０に達した時、案内板２８が垂直位置（位置Ｙ）に揺動すると共に、送出しローラ２７のみが駆動を停止する。一方、露光処理は順次継続されるため、アドバンスローラ１０、第一折返しローラ２３、及び、送込みローラ２６は駆動を続け、ループ部２０に感光材料Ｐのループが作成されていく。
【００３２】
しかる後、フィルム一本分の露光処理が終了して、アドバンスローラ１０、第一折返しローラ２３、及び、送込みローラ２６の駆動が停止した時に、カッター３１により感光材料Ｐの切断処理が行われ、切断処理が終わると、切断された感光材料Ｐの後端がセンサー２９に検出されるまで、第一折返しローラ２３、送込みローラ２６を駆動する。従って、一連の制御が行われることで、露光処理を終え、切断された感光材料Ｐは、その両端がセンサー２９、３０に位置し、送込みローラ２６、送出しローラ２７に保持された状態でループタンク２２内に収容されることとなる。
【００３３】
この時、本実施形態に係る写真処理装置では、上方位置からフィルムＦの画像が焼付けられる構成であることから、感光材料Ｐは、露光部３では感光材料Ｐの乳剤面（図中三角印側の面）を上向きにして搬送されており、従って、ループ部２０内では、乳剤面は内向きとなる。
【００３４】
以上の如く、ループ部２０内に感光材料Ｐが収容されたならば、以下の二つの方法にて、現像処理部４０に搬送される。
【００３５】
即ち、第一の方法は、図６に示す如く、ループタンク２２を、平面視にて時計回りに９０度（反時計回りに２７０度）回動させて、感光材料Ｐの先端側を現像処理部４０に近づけた状態で、該感光材料Ｐを現像処理部４０に搬送する方法である。
【００３６】
即ち、ループタンク２２が前記位置に回動すれば、図示しないセンサーが着座信号を発信すると同時に、送込みローラ２６、送出しローラ２７、第二折返しローラ２４が駆動し、感光材料Ｐがループタンク２２外に搬出される。
【００３７】
そして、該感光材料Ｐは、第二折返しローラ２４にて上方から横方に折り返され、水平にされた後、現像処理部４０へと搬送されるのである。
【００３８】
また、この搬送方法によって、感光材料Ｐは、現像処理部４０の各処理タンク内でその乳剤面を内向きにして現像処理が施されることとなる。
【００３９】
次に、第二の方法は、図７に示す如く、ループタンク２２を、平面視にて時計回りに２７０度（反時計回りに９０度）回動させて、感光材料Ｐの後端側を現像処理部４０に近づけた状態で、感光材料Ｐを現像処理部４０に搬送する方法である。
【００４０】
即ち、ループタンク２２が前記位置に回動すれば、前記センサーが着座信号を発信すると同時に、送込みローラ２６、送出しローラ２７、第二折返しローラ２４、第三折返しローラ２５が駆動する。この時、感光材料Ｐは、第三折返しローラ２５にて上方から横方に折り返され、水平にされた後、第二折返しローラ２４を通って現像処理部４０へと搬送されるのである。
【００４１】
また、この搬送方法によって、感光材料Ｐは、現像処理部４０の各処理タンク内でその乳剤面を外向きにして現像処理が施されることとなる。
【００４２】
以上より、本実施形態に係る写真処理装置によれば、露光部３と現像処理部４０との間に介在するループ部２０が回動自在な構成であるため、露光部３と現像処理部４０を交差させて、平面視で略Ｌ字状に配置した写真処理装置を構成することが可能となり、従って、感光材料の搬送方向が平面視にて直線的であった従来の写真処理装置に比して、写真処理装置の長さ寸法を小さくすることができ、狭い室内であっても好適に配置することができるという利点を有する。
【００４３】
また、感光材料のマガジンを装置本体１の側方に配置することで、マガジンがオペレータの邪魔になることはなく、オペレータの快適な操作環境を実現することができるという利点を有する。
【００４４】
しかも、従来の写真処理装置の如く、重量物であるマガジンが装置本体の上方に配置される構成でないため、マガジン交換作業における作業者の負担を軽減することができるという利点を有する。
【００４５】
さらに、ループタンク２２の回動態様のみによって、現像処理部４０の各処理タンク内で感光材料の乳剤面を内向きにして搬送する場合と、感光材料の乳剤面を外向きにして搬送する場合とが選択可能であるため、特別な反転機構を設ける必要がなく、構造を簡素化でき、製造コストを低減することができるという利点を有する。
【００４６】
尚、本発明は、上記実施形態に限定されるものではない。
即ち、上記実施形態においては、搬送効率の低下を防止する観点から、感光材料の切断処理のタイミングとして、一本のフィルムの全コマの露光処理を終えた時を利用する制御方法を採用しているが、本発明は、この感光材料の切断処理のタイミングについては問題とせず、要は、切断された感光材料をループタンク２２内に完全に収容して、ループタンク２２が回動する際、感光材料が装置本体１側と干渉することがなければよい。
【００４７】
従って、写真の良好な仕上がりを期するため、スキャナーユニット９を設け、オペレータがスキャニング処理に必要な作業を行う間（露光処理のアイドリング時）にて、感光材料Ｐの切断を行うように制御された上記実施形態以外に、スキャニングユニット９を設けていない場合において、二本目のフィルムへの交換作業時（露光処理は停止している）を利用して、感光材料Ｐの切断を行う制御や、ループタンク２２内に設けたセンサーを利用して、感光材料Ｐのループ量を検出して、露光処理とは全く別個独立に感光材料Ｐの切断を行う制御も採用可能である。
【００４８】
また、ループタンク２２として、上述の如く、箱状体のものに言及したが、本発明はこれに限定されず、従来より公知である、あらゆる仕様のループタンクを採用することを意図している。従って、例えば、感光材料を側方から挟み込むだけの構成である二枚の板状体からなるものもループタンクとして採用することができる。
【００４９】
また、ループ機構２１の他実施形態として、図８に示すものもある。
このループ機構は、露光部３とループ部２０との間に設けられた上記実施形態の第一折返しローラ２３を廃止し、前記送込みローラ２６、送出しローラ２７を、その搬送経路の方向を変えるように回動する構成とすると共に、センサー２９、３０を縦置きにしたものである。
これによれば、図８（イ）に示す如く、露光部３からの水平に搬送された感光材料Ｐは、センサー２９を通り、垂直位置に回動した送込みローラ２６により搬送され、センサー２９の検出により水平位置に揺動した平板状の案内板２８の上に沿って垂直位置に回動した送出しローラ２７に渡される。そして、感光材料Ｐの先端がセンサー３０に達した時、案内板２８が垂直位置に揺動して、ループを形成し、カッター３１にて切断する。しかる後、送込みローラ２６と送出しローラ２７が水平位置に回動し、切断された感光材料Ｐの両端を上方に向ける。
かかる状態で、図８（ロ）に示す如く、ループタンク２２を回動し、以後、上記実施形態と同様、第二折返しローラ２４、第三折返しローラ２５を利用して、現像処理部４０に搬出搬送するものである。
【００５０】
また、案内板２８の形状、配置態様、動作態様も上記実施形態に限定されず、ループ部２０内に感光材料のループを作成することができるものであれば、適宜変更可能である。
【００５１】
さらに、ループタンク２２の回動角度は９０度単位に限定されず、露光部３からループ部２０への感光材料Ｐの搬送方向Ａと、ループ部２０から現像処理部４０への感光材料Ｐの搬送方向Ｂの交差角度によって任意に変更可能である。
【００５２】
逆説すれば、ループタンク２２の回動角度を任意に設定することで、露光部３と現像処理部４０とを任意の交差角度にして配置することが可能となり、それに伴って、写真処理装置を設置する室内等の空間を有効活用することができる。
【００５３】
また、前記露光部３、及び、前記現像処理部４０をそれぞれ２ユニットずつ設けて、十字状に配置し、その交点にループ部２０を１ユニット設ければ、二台の写真処理装置を一台に集約した構成となり、コストをかけずに写真処理能力を向上することが可能となる。
【００５４】
さらに、上述した全てのローラ１０、２３、２４、２５、２６、２７の支持態様は設計上、当然に採用されるものを含むものとし、また、感光材料の搬送は、ローラ搬送に限定されず、その他のもの、例えば、ベルト搬送であってもよい。
【００５５】
そして、センサー２９、３０、カッター３１、及び、ローラ１０、２３、２４、２５、２６、２７の配置態様は、写真処理装置の仕様に応じて適宜変更可能である。
【００５６】
また、感光材料Ｐの搬送に与るローラは、上記実施形態のローラ１０、２３、２４、２５、２６、２７のみに限定されず、その他のローラ機構が付加されるものであってもよい。
【００５７】
【発明の効果】
以上のように、本発明に係る写真処理装置によれば、感光材料の搬送途中にて感光材料の搬送方向を転換可能であるため、露光部と現像処理部とをＬ字型に配置することが可能となり、従来の如く、露光部、ループ部、現像処理部が直線的に配置された写真処理装置に比して、機械寸法を小さくすることができ、従って、設置する室内形状に好適に対処することができる。
【００５８】
また、感光材料を保管するマガジンを、低位置且つオペレータから離れた位置に配置することが可能となるため、マガジンの交換作業を円滑に行うことができるばかりでなく、オペレータの好適な作業環境を実現することができる。
【００５９】
また、本発明に係る感光材料の搬送方法は、ループ部内に設けられたループタンクに感光材料を収容し、感光材料の後端側が前記現像処理部に近づくようにループタンクを回転せしめた後、感光材料を先端側から現像処理部に搬送するという極めて簡単な方法で、感光材料の表裏反転を行うことができる。
【図面の簡単な説明】
【図１】本発明の一実施形態を示す写真処理装置の概略斜視図。
【図２】同実施形態の露光部の概略側面図。
【図３】同実施形態の搬送方向Ａにおけるループ部の一部断面を含む側面図。
【図４】同実施形態の搬送方向Ｂにおけるループ部の一部断面を含む側面図であって、（イ）と（ロ）は、ループタンクが１８０度回転位相が異なる状態。
【図５】同実施形態の露光部からループ部への感光材料の搬送態様を示す一部断面を含む概略側面図。
【図６】同実施形態のループ部から現像処理部への感光材料の第一搬送態様を示す一部断面を含む概略側面図。
【図７】同実施形態のループ部から現像処理部への感光材料の第二搬送態様を示す一部断面を含む概略側面図。
【図８】他実施形態のループ部を示し、（イ）は、露光部からループ部への感光材料の搬送態様を示す一部断面を含む概略側面図、（ロ）は、ループ部から現像処理部への感光材料の第一搬送態様を示す一部断面を含む概略側面図。
【図９】従来の写真処理装置の一部断面を含む概略側面図。
【符号の説明】
１…装置本体、２…マガジン、３…露光部、４…ゲート、５…ローラ対、６…フィルムキャリア、７…光源、８…レンズユニット、９…スキャナーユニット、１０…アドバンスローラ、２０…ループ部、２１…ループ機構、２２…ループタンク、２３…第一折返しローラ、２４…第二折返しローラ、２５…第三折返しローラ、２６…送込みローラ、２７…送出しローラ、２８…案内板、２９、３０…センサー、３１…カッター、４０…現像処理部、４１…発色処理タンク、４２…定着処理タンク、４３…安定処理タンク、４５…搬送ローラ
【図１】
0003888566.tif 000002
【図２】
0003888566.tif 000003
【図３】
0003888566.tif 000004
【図４】
0003888566.tif 000005
【図５】
0003888566.tif 000006
【図６】
0003888566.tif 000007
【図７】
0003888566.tif 000008
【図８】
0003888566.tif 000009
【図９】
0003888566.tif 000010